【手続補正書】
【提出日】平成23年8月11日(2011.8.11)
【手続補正１】
【補正対象書類名】特許請求の範囲
【補正対象項目名】全文
【補正方法】変更
【補正の内容】
【特許請求の範囲】
【請求項１】
アンテナを有する保管デバイスからの製品の分配を検知する方法であって、
第１の製品に該アンテナの有効通信範囲内にある第１の無線タグを取り付ける段階、
該第１の無線タグと前記アンテナとの間で無線通信を確立させる段階であって、
前記第１の製品の前記第１の無線タグと第２の製品の第２の無線タグとの間で第１の無線リンクを確立する段階と、
前記第２の無線タグと前記アンテナとの間で第２の無線リンクを確立する段階と、
を含む、前記無線通信を確立させる段階、
該無線通信をモニターする段階、及び
そのモニタリングに応答して、前記無線通信が停止した時に、前記第１の製品がいつ前記保管デバイスから分配されたかを決定する段階、
を含み、
前記第１の無線タグおよび前記第２の無線タグの各々はＲＦＩＤタグ、ブルートゥースタグ、および、ＮＦＣタグの内の少なくとも１つである、
ことを特徴とする方法。
【請求項２】
請求項１に記載の方法において、前記無線通信を確立する段階が、
前記第１の無線タグと前記アンテナとの間に無線リンクを確立する段階
を含むことを特徴とする方法。
【請求項３】
請求項１に記載の方法において、更に、
各無線タグとの間に独立した無線リンクを一時的に形成するために、より高い同報通信出力で周期的に前記アンテナを動作させ、ネットワークがそこに含まれる全ての無線タグの存在を正確に報告していることを確認する段階
を含むことを特徴とする方法。
【請求項４】
請求項１に記載の方法において、前記無線通信をモニターする段階が、前記第１の無線リンクをモニターする段階を含むことを特徴とする方法。
【請求項５】
請求項１に記載の方法において、前記無線通信を確立する段階が、
複数の無線タグ間に無線リンク網を確立する段階、
前記第１の製品の前記第１の無線タグと前記複数の無線タグの内の１個の第１の無線タグとの間に第１の無線リンクを確立する段階、及び
前記複数の無線タグの第２の無線タグと前記アンテナとの間に第２の無線リンクを確立する段階
を含むことを特徴とする方法。
【請求項６】
請求項５に記載の方法において、無線通信をモニターする前記段階が、前記第１の無線リンクをモニターする段階を含むことを特徴とする方法。
【請求項７】
請求項５に記載の方法において、前記無線リンク網が、第１の周波数を利用し、前記第２の無線リンクが第２の周波数を利用することを特徴とする方法。
【請求項８】
請求項５に記載の方法において、前記無線リンク網が、第１の電力レベルを利用し、前記第２の無線リンクが該第１の電力レベルよりも大きな第２の電力レベルを利用することを特徴とする方法。
【請求項９】
請求項１に記載の方法において、前期有効通信範囲が前記保管デバイス内に設置されていることを特徴とする方法。
【請求項１０】
請求項１に記載の方法において、前記第１の無線タグが、能動ＲＦＩＤタグであることを特徴とする方法。
【請求項１１】
請求項１に記載の方法において、前記第１の無線タグが、前記第１の製品と関連する環境情報を記憶するように構成されたメモリを含んでいることを特徴とする方法。
【請求項１２】
請求項１１に記載の方法において、前記無線タグが、前記第１の製品上の１つ以上の環境センサに作動的に結合されることを特徴とする方法。
【請求項１３】
請求項１１に記載の方法において、前記第１の無線タグは、前記第１の製品と関連する環境情報を前記アンテナに通信するように構成されていることを特徴とする方法。
【請求項１４】
請求項１３に記載の方法において、前記保管デバイスはデータベースと作動的に結合され、前記第１の製品と関連する前記環境情報は、前記保管装置によって前記データベースに与えられることを特徴とする方法。
【請求項１５】
請求項１１に記載の方法において、前記環境情報は、前記第１の製品の分配履歴、前記第１の製品の温度履歴、及び前記第１の製品の前記第１の無線タグへの接続履歴の、１つ以上を含むことを特徴とする方法。
【請求項１６】
請求項１に記載の方法において、さらに、
ユーザ認証を行う段階、
該ユーザに前記保管デバイスへのアクセスを許可する段階、
前記第１の製品が前記保管デバイスから分配された後に、前記ユーザを前記第１の製品と関連付ける段階、
を備えていることを特徴とする方法。
【請求項１７】
請求項１６に記載の方法において、前記保管デバイスは、データベースと作動的に結合され、前記ユーザ及び前記関連付けられた第１の製品についての情報が、前記保管デバイスによって前記データベースに与えられることを特徴とする方法。
【請求項１８】
アンテナを有する保管デバイスからの製品の分配を検知する方法であって、
該アンテナの有効通信範囲内に、それぞれが無線タグを有する、複数の製品を供給する段階、
前記アンテナと前記複数の無線タグの少なくとも１個との間に第１の無線リンクを確立させる段階、
前記複数の無線タグ間に、前記第１の無線リンクに結合されている、複数の第２の無線リンクを確立させる段階、
前記第１の無線リンクと前記複数の第２の無線リンクをモニターする段階、及び
モニタリングに応答して、前記複数の第２の無線リンクの１つが失われた時を判定し、前記複数の製品の１つがいつ前記保管デバイスから分配されたかを決定する段階、
を含み、
前記複数の無線タグは、ＲＦＩＤタグ、ブルートゥースタグ、または、ＮＦＣタグである、
ことを特徴とする方法。
【請求項１９】
管理された保管エリア、
前記管理された保管エリア内で信号を送受信するように作動するアンテナ、及び
プロセッサ、
を備え、該プロセッサは、
管理された保管エリア内に置かれた第１の製品の第１の無線タグとアンテナとの間に、無線通信を確立し、その無線通信の確立は、
前記第１の製品の前記第１の無線タグと第２の製品の第２の無線タグとの間で第１の無線リンクを確立すること、および
前記第２の無線タグと前記アンテナとの間で第２の無線リンクを確立すること、
を含み、
該無線通信をモニターし、そして
そのモニタリングに応答して、前記無線通信が停止した時に、前記第１の製品が前記管理された保管エリアからいつ分配されたかを決定する、
ように構成され、
前記第１の無線タグと前記第２の無線タグは、ＲＦＩＤタグ、ブルートゥースタグ、および、ＮＦＣタグの内の少なくとも１つである、
ことを特徴とする分配検知システム。
【請求項２０】
請求項１９に記載の分配検知システムにおいて、前記プロセッサは、さらに、前記第１の製品についての環境情報を前記第１の無線タグから収集するように構成されていることを特徴とする分配検知システム。
【請求項２１】
請求項２０に記載の分配検知システムにおいて、さらに、前記プロセッサに作動的に結合されるデータベースを備え、前記プロセッサは、前記第１の製品についての環境情報を該データベースに与えるように構成されていることを特徴とする分配検知システム。
【請求項２２】
請求項１９に記載の分配検知システムにおいて、前記プロセッサは、さらに
ユーザ認証を行い、
該ユーザに前記保管デバイスへのアクセスを許可し、
前記第１の製品が前記保管デバイスから分配された後に、前記ユーザを前記第１の製品と関連付ける
ように構成されていることを特徴とする分配検知システム。
【請求項２３】
請求項２２に記載の分配検知システムにおいて、さらに、前記プロセッサに作動的に結合されているデータベースを備え、前記プロセッサは、前記ユーザ及び前記関連付けられた第１の製品についての情報を、前記データベースに与えるように構成されていることを特徴とする分配検知システム。
【請求項２４】
請求項１９に記載の分配検知システムにおいて、前記プロセッサは、前記第１の無線リンクをモニターすることによって前記無線通信をモニターするように構成されていることを特徴とする分配検知システム。
【請求項２５】
請求項１９に記載の分配検知システムにおいて、前記プロセッサは、複数の無線タグ間に無線リンク網を確立し、前記第１の製品の第１の無線タグと前記複数の無線タグの内の１個の第１の無線タグとの間に第１の無線リンクを確立し、さらに前記複数の無線タグの第２の無線タグと前記アンテナとの間に第２の無線リンクを確立することによって、無線通信を確立するように構成されていることを特徴とする分配検知システム。
【請求項２６】
請求項２５に記載の分配検知システムにおいて、前記プロセッサは、前記第１の無線リンクをモニターすることによって前記無線通信をモニターするように構成されていることを特徴とする分配検知システム。
【請求項２７】
請求項２５に記載の分配検知システムにおいて、前記プロセッサは、さらに前記無線リンク網のトポロジーをモニターし、ユーザの動きを検知するように構成されていることを特徴とする分配検知システム。